(57)【要約】      （修正有）【課題】肩部分まで十分に覆うことができるこたつ布団を提供する。【解決手段】この考案のこたつ布団１は、中央天頂部２と、この中央天頂部２を中心として、第１の方向に延びる第１、第２の側方垂下片３と、第１の方向と直交する第２の方向に延びる第３、第４の側方垂下片４と、隣り合う側方垂下片３、４間を連結するコーナー垂下片７とを備え、側方垂下片４に、側方垂下片４から延びる折り畳み可能な延長片８ａと、この延長片８ａの両側に側方垂下片４と直交する方向に延びる横方向延長片８ｂが設けられ、側方垂下片４の裏面側に延長片８ａと横方向延長片８ｂを収容する袋部が設けられている。【選択図】図２
0003192172.tif 000002
【実用新案登録請求の範囲】
【請求項１】
中央天頂部と、この中央天頂部を中心として、第１の方向に延びる第１、第２の側方垂下片と、前記第１の方向と直交する第２の方向に延びる第３、第４の側方垂下片と、隣り合う側方垂下片間を連結するコーナー垂下片とを備え、
少なくとも１つの側方垂下片に、側方垂下片から延びる折り畳み可能な延長片と、この延長片の両側に前記側方垂下片と直交する方向に延びる横方向延長片が設けられ、
前記側方垂下片の裏面側に前記延長片と横方向延長片を収容する袋部が設けられていることを特徴とするこたつ布団。
【請求項２】
前記延長片は、側方垂下片から伸ばした状態では、こたつで寝る際の掛け布団として使用できる長さに設定され、横方向延長片の端部は、前記延長片の長さと同じ長さに設定され、横方向延長片の横方向の長さは、前記延長片から横に延ばすと前記コーナー垂下片と重なり合う長さに設定されていることを特徴とする請求項１に記載のこたつ布団。
【請求項３】
前記側方垂下片の裏面側には、袋布が設けられ、前記中央天頂部側方向の袋部の一端が側方垂下片の裏面側に縫い付けられ、側方垂下片端部側に位置する袋布の端部は、前記側方垂下片とは縫い付けずに、前記側方垂下片と袋布との間に袋部が形成されていることを特徴とする請求項１に記載のこたつ布団。
【請求項４】
前記袋部を形成する側方垂下片の端部と袋布の端部には、係止具が設けられていることを特徴とする請求項３に記載のこたつ布団。
【請求項５】
前記延長片、横方向延長片は、折り畳んで袋部内に収容し、前記係止具で延長片、横方向延長片を袋部内で収容保持することを特徴とする請求項４に記載のこたつ布団。
【考案の詳細な説明】
【技術分野】
【０００１】
この考案は、こたつ布団に係り、特に、使用者の用途に応じてこたつ布団の裾部分を伸ばして、こたつでごろ寝したときに肩まで覆って暖かく保温できるこたつ布団に関するものである。
【背景技術】
【０００２】
従来、こたつに使用するこたつ布団は、四角形状や円形状で、こたつ本体と天板との間に中央部を載置し、こたつを使用する人の腰から下半身部分に布団が掛かるように、全ての辺が天板から均等に垂れ下がるように形成されている。
【０００３】
ところで、こたつに入った状態（座った状態）から横になる姿勢になると、下半身部分しかこたつ布団が掛からないために、上半身は毛布、布団等を掛けて対応していた。しかし、別途毛布、布団等を用意するのは面倒であった。
【０００４】
そこで、こたつ布団の垂下片の縁部に折り畳み部を一体に設け、この折り畳み部を垂下片の縁部から天板側に折り畳んで止めることができるようにし、こたつでごろ寝をする際に、垂下片を伸ばして掛け布団として使用することができるこたつ布団が提案されている（例えば、特許文献１参照）。
【先行技術文献】
【特許文献】
【０００５】
【特許文献１】特開２０００−３２５２０７号公報
【考案の概要】
【考案が解決しようとする課題】
【０００６】
上記した特許文献１のものは、折り畳み部を垂下片からそのまま延長する方向に延びるように構成されているため、肩の部分を十分に覆うことが困難であり、肩部分が寒いという難点があった。
【０００７】
そこで、この考案は、肩部分まで十分に覆うことができるこたつ布団を提供することを課題とするものである。
【課題を解決するための手段】
【０００８】
この考案のこたつ布団は、上記の課題を解決するために、中央天頂部と、この中央天頂部を中心として、第１の方向に延びる第１、第２の側方垂下片と、前記第１の方向と直交する第２の方向に延びる第３、第４の側方垂下片と、隣り合う側方垂下片間を連結するコーナー垂下片とを備え、少なくとも１つの側方垂下片に、側方垂下片から延びる折り畳み可能な延長片と、この延長片の両側に前記側方垂下片と直交する方向に延びる横方向延長片が設けられ、前記側方垂下片の裏面側に前記延長片と横方向延長片を収容する袋部が設けられていることを特徴とする。
【０００９】
また、前記延長片は、側方垂下片から伸ばした状態では、こたつで寝る際の掛け布団として使用できる長さに設定され、横方向延長片の端部は、前記延長片の長さと同じ長さに設定され、横方向延長片の横方向の長さは、前記延長片から横に延ばすと前記コーナー垂下片と重なり合う長さに設定されると好ましい。
【００１０】
また、前記側方垂下片の裏面側には、袋布が設けられ、前記中央天頂部側方向の袋部の一端が側方垂下片の裏面側に縫い付けられ、側方垂下片端部側に位置する袋布の端部は、前記側方垂下片とは縫い付けずに、前記側方垂下片と袋布との間に袋部を形成すればよい。
【００１１】
また、前記袋部を形成する側方垂下片の端部と袋布の端部には、係止具を設け、前記延長片、横方向延長片は、折り畳んで袋部内に収容し、前記係止具で延長片、横方向延長片を袋部内で収容保持すればよい。
【考案の効果】
【００１２】
この考案においては、通常のこたつ掛けとして使用する場合には、延長片、横方向延長片は袋部内に収納し、側方垂下片の下端とコーナー垂下片の下端が揃うので、通常のこたつ布団として使用できる。そして、袋部内に収容されている延長片、横方向延長片を引き出し、横方向延長片を、延長片から横に延ばすことで、使用者の肩まで延長片、横方向延長片が延び肩部分まで十分に覆って保温することができる。
【図面の簡単な説明】
【００１３】
【図１】この考案の実施形態に係るこたつ布団を示す斜視図である。
【図２】この考案の実施形態に係るこたつ布団を裏面側から示す斜視図である。
【図３】この考案の実施形態に係るこたつ布団の裏面側の袋布部分を示す斜視図である。
【図４】この考案の実施形態に係るこたつ布団の裏面側の袋布部分を示す斜視図である。
【図５】この考案の実施形態に係るこたつ布団の上面図である。
【図６】この考案の実施形態に係るこたつ布団の裏面図である。
【図７】この考案の実施形態に係るこたつ布団の側面図である。
【図８】図６のＡ−Ｂ−Ｃ線の組合せ断面図である。
【図９】この考案の実施形態に係るこたつ布団の使用状態を示す斜視図である。
【図１０】この考案の実施形態に係るこたつ布団の使用状態を示す斜視図である。
【図１１】この考案の実施形態に係るこたつ布団の使用状態を示す斜視図である。
【考案を実施するための形態】
【００１４】
この考案の実施形態を添付図面に基づいて具体的に説明する。なお、この考案に係るこたつ布団は、下記の実施形態に示したものに限定されず、その要旨を変更しない範囲において適宜変更して実施できるものである。
【００１５】
この考案の第１の実施形態にかかるこたつ布団１は、図１及び図２に示すように、中央天頂部２とこの中央天頂部２を中心として、図中の左右方向に延びる側方垂下片３、３と側方垂下片３、３と直交する図中上下方向に延びる側方垂下片４、４とを備え、中央天頂部２を中心としてほぼ十字型に形成されている。中央天頂部２、側方垂下片３、３、４、４は、表布と裏布とからなり、両布は、糸により縫い合わされている。側方垂下片３、３、４、４は、糸により、３つの平行する縫い合わせ部６が設けられ、中央天頂部２は、中央部に同心状に２つの矩形の縫い合わせ部６が設けられている。また、隣り合う側方垂下片３と側方垂下片４との間は、９０度角の扇型をしたコーナー垂下片７で連結されている。
【００１６】
側方垂下片３、４及びコーナー垂下片７の端部は、それぞれ縁布３ｄ、４ｄ、７ｄで縁止めされている。
【００１７】
中央天頂部２は、こたつ布団１の中央でこたつの天板１１（図９、図１０参照）を載置する箇所であり、平面から見て矩形状となっている。側方垂下片３、３、４、４の横幅は、中央天頂部２のそれぞれの辺とほぼ同じ長さとし、縦幅をこたつの掛け布団として使用する際に所定の長さ床に垂れる長さに構成されている。
【００１８】
この実施形態においては、側方垂下片４に、側方垂下片４から延びる折り畳み可能な延長片８ａが設けられ、この延長片８ａは、側方垂下片４から伸ばした状態では、こたつ１０で寝る際の掛け布団として使用できる長さに設定されている。そして、この延長片８ａの両側に側方垂下片４と直交する方向に延びる横方向延長片８ｂが設けられている。この横方向延長片８ｂの縦方向（側方垂下片３と直交する方向）の端部は、延長片８ａの長さと同じ長さに設けられ、横方向（側方垂下片３と平行な方向）の長さは、延長片８ａから横に延ばすとコーナー垂下片７と重なり合い、側方垂下片３の縦方向の長さの延長線上に位置する長さになるように設けられている。横方向延長片８ｂの一端は、図２に示すように、袋布４１の縫い付け端の位置までの長さになっている。そして、延長片８ａ及び横方向延長片８ｂの端部には、縁布８ｄにより縁止めされている。
【００１９】
側方垂下片４の裏面側には、袋布４１が設けられ、中央天頂部２側方向の袋部４１の一端が側方垂下片４の裏面側に縫い付けられ、側方垂下片４端部側に位置する袋布４１の端部は、側方垂下片４とは縫い付けずに、側方垂下片４と袋布４１との間に袋部４１ａを形成している。この袋部４１ａを形成する側方垂下片４の端部と袋布４１の端部には、２つの係止具４２が設けられ、収容された延長片８ａ及び横方向延長片８ｂを収容状態で保持するように構成されている。図３、図４及び図７に示すように、この実施形態では、係止具４２は、ループ４２ａとこのループ４２ａに嵌め込まれるボタン４２ｂとからなり、袋布４１の表面側にボタン４２ｂが設けられ、側方垂下片４にループ４２ａが設けられている。
【００２０】
図３及び図４に示すように、延長片８ａ、横方向延長片８ｂは、折り畳んで袋部４１ａ内に収納可能であり、図４に示すように、延長片８ａ、横方向延長片８ｂを折り畳み、袋部４１ａ内に収容し、図３に示すように、ループ４２ａにボタン４２ｂを嵌め込み、袋部４１ａ内から延長片８ａ、横方向延長片８ｂがはみ出ないように構成されている。
【００２１】
すなわち、図５〜図８に示すように、この実施形態のこたつ布団１は、こたつの掛け布団として使用する際には、延長片８ａ、横方向延長片８ｂは袋部４１ａ内に収納し、係止具４２で袋部４１ａの入り口部分を閉め、延長片８ａ、横方向延長片８ｂが袋部４１ａから延長片８ａ、横方向延長片８ｂが垂れ下がらないように構成されている。
【００２２】
次に、こった布団１の使用方法について説明する。
通常のこたつ掛けとして使用する場合には、図５〜図８に示すように、延長片８ａ、横方向延長片８ｂは袋部４１ａ内に収納し、係止具４２で袋部４１ａの入り口部分を閉める。これにより、図９に示すように、側方垂下片４の下端とコーナー垂下片７の下端が揃うので、通常のこたつ布団として使用できる。そして、延長片８ａ、横方向延長片８ｂは袋部４１ａ内に収納されているので、延長片８ａ、横方向延長片８ｂが邪魔になることはない。
【００２３】
次に、ごろ寝をするときの使用方法につき説明する。図４に示すように、袋部４１ａの係止具４２のループ４２ａからボタン４２ｂを外し、袋部４１ａ内に収容されている延長片８ａ、横方向延長片８ｂを引き出せるようにし、まず縦方向に延長片８ａ、横方向延長片８ｂを引き出す。そして、横方向延長片８ｂは、延長片８ａから横に延ばすとこたつ布団の端まで横方向延長片８ｂが延び、図１０及び図１１に示すように、肩まで延長片８ａ、横方向延長片８ｂが延びる。このように、この実施形態のこたつ布団１は、使用者の肩部分が横方向延長片８ｂにより十分に覆われるので、肩部分まで保温される。
【００２４】
また、上記した実施形態では、係止具４２をループ４２ａとボタン４２ｂで構成したが、その他、面ファスナー、スナップボタンなどを用いてもよい。
【００２５】
また、上記した実施形態では、延長片８ａ、横方向延長片８ｂを側方垂下片４に設けているが、側方垂下片３にも延長片８ａ、横方向延長片８ｂと袋部を設けてもよい。
【符号の説明】
【００２６】
１    こたつ布団
２    中央天頂部
３    側方垂下片
３ｄ  縁布
４    側方垂下片
４ｄ  縁布
７    コーナー垂下片
７ｄ  縁布
８ａ  延長片
８ｂ  横方向延長片
８ｄ  縁布
４２  係止具
４２ａ  ループ
４２ｂ  ボタン
【図１】
0003192172.tif 000003
【図２】
0003192172.tif 000004
【図３】
0003192172.tif 000005
【図４】
0003192172.tif 000006
【図５】
0003192172.tif 000007
【図６】
0003192172.tif 000008
【図７】
0003192172.tif 000009
【図８】
0003192172.tif 000010
【図９】
0003192172.tif 000011
【図１０】
0003192172.tif 000012
【図１１】
0003192172.tif 000013